【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
ハロゲン化ポリマーシェル及びその中に囲まれる電気泳動組成物を含んで成る非水性電気泳動カプセルであって、該電気泳動組成物は、誘電溶媒中に分散される帯電ピグメント粒子又はピグメント含有微粒子を含んで成る非水性電気泳動カプセル。
【請求項２】
該ハロゲン化ポリマーシェルは、フッ素化ポリマーシェルである請求項１に記載の非水性カプセル。
【請求項３】
該誘電溶媒は、２０重量％より高いフッ素含有量を有するフッ素化溶媒である請求項１に記載の非水性カプセル。
【請求項４】
該フッ素化溶媒又は溶媒混合物は、パーフルオロポリエーテル又はハイドロフルオロポリエーテルを含んで成る請求項３に記載の非水性カプセル。
【請求項５】
該ピグメント粒子は、ＴｉＯ２粒子又はＴｉＯ２含有微粒子である請求項１に記載の非水性カプセル。
【請求項６】
該電気泳動組成物は、電荷制御剤、コントラスト着色剤又は添加剤を更に含む請求項１に記載の非水性カプセル。
【請求項７】
電気泳動ディスプレー用ディスプレーセルとして適する非水性カプセルを製造するためのカプセル化方法であって、
ハロゲン化溶媒及びハロゲン化シェル形成材料内に分散されるピグメント粒子又はピグメント含有微粒子を含んで成る内相を、有機溶媒中に相補的鎖延長剤又は架橋剤を含んで成る外相中に乳化することを含んで成る方法。
【請求項８】
該ハロゲン化溶媒は、２０重量％より高い合計のフッ素含有量を有するフッ素化溶媒又は溶媒混合物である請求項７に記載の方法。
【請求項９】
該フッ素化溶媒は、パーフルオロポリエーテル又はハイドロフルオロポリエーテルである請求項８に記載の方法。
【請求項１０】
内相中の該ハロゲン化シェル形成材料は、ハロゲン化多官能価アミン、イソシアネート、チオイソシアネート、エポキサイド、酸塩化物、酸無水物、クロロギ酸エステル、アルコキシシラン、アミン、尿素、チオ尿素、チオール、アルコール及びそれらの予備的縮合物から成る群から選択されるハロゲン化反応性モノマー又はオリゴマーである請求項７に記載の方法。
【請求項１１】
該ハロゲン化シェル形成材料は、
【化１】
2006516765.tif 000001
［但し、ｇ、ｍ及びｎは独立して１〜１０，０００の範囲である。］
から成る群から選択される請求項７に記載の方法。
【請求項１２】
該有機溶媒は、ヘキサン、シクロヘキサン、ヘプタン、オクタン、ノナン、デカリン、ドデシルベンゼン、イソパール、ノナパール、酢酸エチル、酢酸プロピル、酢酸ブチル、アセトン、メチルエチルケトン（ＭＥＫ）、メチルプロピルケトン（ＭＰＫ）、メチルブチルケトン（ＭＢＫ）、テトラハイドロフラン（ＴＨＦ）、１，２−ジアルコキシエタン又は酢酸２−メトキシエチルである請求項７に記載の方法。
【請求項１３】
内相中のハロゲン化シェル形成材料と外相中の相補的鎖延長剤又は架橋剤は、アミン／イソシアネート、アミン／チオイソシアネート、アミン／酸塩化物、アミン／酸無水物、アミン／クロロギ酸エステル、アミン／エポキサイド、アルコール／イソシアネート、尿素／イソシアネート、アルコール／チオイソシアネート、チオール／イソシアネート、チオール／チオイソシアネート、尿素／チオイソシアネート、チオ尿素／イソシアネート、チオ尿素／チオイソシアネート、カルボジイミド／尿素、カルボジイミド／エポキサイド、アルコール／シロキサン及びイソシアネート／水から成る群から選択される官能基の組を有する請求項７に記載の方法。
【請求項１４】
該内相は、電荷制御剤、コントラスト着色剤又は添加剤を更に含んで成る請求項７に記載の方法。
【請求項１５】
該内相は、カプセル化工程の間又は後、除去し得る揮散性溶媒を更に含んで成る請求項７に記載の方法。
【請求項１６】
該外相は、保護コロイド又は添加剤を更に含んで成る請求項７に記載の方法。
【請求項１７】
ａ）ハロゲン化ポリマーシェル及びその中に囲まれる電気泳動組成物を含んで成る非水性カプセルの配列であり、該電気泳動組成物は、誘電溶媒中に分散される帯電ピグメント粒子又はピグメント含有微粒子を含んで成り、
ｂ）非水性カプセルと結合するバインダー、及び
ｃ）カプセルとバインダーをコートする第一基材
を含んで成る電気泳動ディスプレー又はデバイス。
【請求項１８】
該誘電溶媒は、２０重量％より高い合計のフッ素含有量を有するフッ素化溶媒である請求項１７に記載の電気泳動ディスプレー又はデバイス。
【請求項１９】
該フッ素化溶媒は、パーフルオロポリエーテル又はハイドロフルオロポリエーテルである請求項１８に記載の電気泳動ディスプレー又はデバイス。
【請求項２０】
該ピグメントは、ＴｉＯ２である請求項１７に記載の電気泳動ディスプレー又はデバイス。
【請求項２１】
該電気泳動組成物が、コントラスト着色剤又は電荷制御剤を更に含んで成る請求項１７に記載の電気泳動ディスプレー又はデバイス。
【手続補正２】
【補正対象書類名】明細書
【補正対象項目名】００８８
【補正方法】変更
【補正の内容】
【００８８】
本発明をその具体的な態様を参照して説明したが、種々の変更をなし得、本発明の真の精神と範囲から離れることなく均等物で置換できることを、当業者であれば理解すべきである。更に、多くの変更を行い、本発明の目的、精神及び範囲に、特定の条件、材料、組成物、方法、方法の工程又は工程等を適合（又は改変して）してよい。全てのそのような変更は、添付した特許請求の範囲の範囲内であるように意図される。
以下、本発明の主な好ましい態様を記載する。
１．
ハロゲン化ポリマーシェル及びその中に囲まれる電気泳動組成物を含んで成る非水性電気泳動カプセルであって、該電気泳動組成物は、誘電溶媒中に分散される帯電ピグメント粒子又はピグメント含有微粒子を含んで成る非水性電気泳動カプセル。
２．
該ハロゲン化ポリマーシェルは、フッ素化ポリマーシェルである上記１．に記載の非水性カプセル。
３．
該誘電溶媒は、ハロゲン化溶媒又は溶媒混合物である上記１．に記載の非水性カプセル。
４．
該ハロゲン化溶媒は、２０重量％より高いフッ素含有量を有するフッ素化溶媒である上記３．に記載の非水性カプセル。
５．
該ハロゲン化溶媒は、５０重量％より高いフッ素含有量を有するフッ素化溶媒である上記４．に記載の非水性カプセル。
６．
該フッ素化溶媒又は溶媒混合物は、パーフルオロポリエーテル又はハイドロフルオロポリエーテルを含んで成る上記４．に記載の非水性カプセル。
７．
該フルオロポリエーテル又ハイドロフルオロポリエーテルは、Ｋ−及びＥ−シリーズ（デュポン社）及びＨＴ−又はＺＴ−シリーズ（ソルベーソレクシズ社）から成る群から選択される上記６．に記載の非水性カプセル。
８．
該ピグメント粒子は、ＴｉＯ２粒子又はＴｉＯ２含有微粒子である上記１．に記載の非水性カプセル。
９．
該ピグメント含有微粒子は、誘電溶媒と密度が同等のＴｉＯ２含有微粒子である上記１．に記載の非水性カプセル。
１０．
該電気泳動組成物は、電荷制御剤を更に含む上記１．に記載の非水性カプセル。
１１．
該電気泳動組成物は、コントラスト着色剤を更に含んで成る上記１．に記載の非水性カプセル。
１２．
該電気泳動組成物は、添加剤を更に含んで成る上記１．に記載の非水性カプセル。
１３．
添加剤は、シェル形成反応用触媒、電荷助剤、電解質、酸化防止剤、ＵＶ安定剤、一重項酸素クエンチャー、ガス吸収剤、界面活性剤、保護コロイド又はポリマー分散剤又はレオロジー調整剤である上記１２．に記載の非水性カプセル。
１４．
該添加剤は、ハロゲン化される上記１３．に記載の非水性カプセル。
１５．
該添加剤は、フッ素化される上記１４．に記載の非水性カプセル。
１６．
電気泳動ディスプレー用ディスプレーセルとして適する非水性カプセルを製造するためのカプセル化方法であって、
ハロゲン化溶媒及びハロゲン化シェル形成材料内に分散されるピグメント粒子又はピグメント含有微粒子を含んで成る内相を、有機溶媒中に相補的鎖延長剤又は架橋剤を含んで成る外相中に乳化することを含んで成る方法。
１７．
該ハロゲン化溶媒は、２０重量％より高い合計のフッ素含有量を有するフッ素化溶媒又は溶媒混合物である上記１６．に記載の方法。
１８．
該ハロゲン化溶媒は、５０重量％より高い合計のフッ素含有量を有するフッ素化溶媒又は溶媒混合物である上記１７．に記載の方法。
１９．
該フッ素化溶媒は、パーフルオロポリエーテル又はハイドロフルオロポリエーテルである上記１７．に記載の方法。
２０．
該フルオロポリエーテル又ハイドロフルオロポリエーテルは、Ｋ−及びＥ−シリーズ（デュポン社）及びＨＴ−又はＺＴ−シリーズ（ソルベーソレクシズ社）から成る群から選択される上記１９．に記載の方法。
２１．
内相中の該シェル形成材料は、ハロゲン化多官能価アミン、イソシアネート、チオイソシアネート、エポキサイド、酸塩化物、酸無水物、クロロギ酸エステル、アルコキシシラン、アミン、尿素、チオ尿素、チオール、アルコール及びそれらの予備的縮合物から成る群から選択されるハロゲン化反応性モノマー又はオリゴマーである上記１６．に記載の方法。
２２．
該ハロゲン化反応性モノマー又はオリゴマーは、１０重量％より高いフッ素含有量を有するフッ素化モノマー又はオリゴマーである上記２１．に記載の方法。
２３．
該ハロゲン化反応性モノマー又はオリゴマーは、３０重量％より高いフッ素含有量を有するフッ素化モノマー又はオリゴマーである上記２２．に記載の方法。
２４．
該ハロゲン化シェル形成材料は、
【化８】
2006516765.tif 000002
［但し、ｇ、ｍ及びｎは独立して１〜１０，０００の範囲である。］
から成る群から選択される上記１６．に記載の方法。
２５．
ｇ、ｍ及びｎは独立に１〜５，０００の範囲である上記２４．に記載の方法。
２６．
該フッ素化シェル形成材料は、３００〜１００，０００の範囲の分子量を有する上記２４．に記載の方法。
２７．
該フッ素化シェル形成材料は、５００〜３０，０００の範囲の分子量を有する上記２６．に記載の方法。
２８．
連続相中の該有機溶媒は、内相中のハロゲン化溶媒と相溶しない上記１６．に記載の方法。
２９．
該有機溶媒は、４０〜２００℃の沸点を有する上記２８．に記載の方法。
３０．
該有機溶媒は、６０〜１５０℃の沸点を有する上記２９．に記載の方法。
３１．
該有機溶媒は、ヘキサン、シクロヘキサン、ヘプタン、オクタン、ノナン、デカリン、ドデシルベンゼン、イソパール、ノナパール、酢酸エチル、酢酸プロピル、酢酸ブチル、アセトン、メチルエチルケトン（ＭＥＫ）、メチルプロピルケトン（ＭＰＫ）、メチルブチルケトン（ＭＢＫ）、テトラハイドロフラン（ＴＨＦ）、１，２−ジアルコキシエタン又は酢酸２−メトキシエチルである上記２８．に記載の方法。
３２．
内相中の該ハロゲン化シェル形成材料は、外相からの相補的鎖延長剤又は架橋剤と反応して、界面で架橋するシェルを形成し、その中に内相を囲む上記１６．に記載の方法。
３３．
内相中のシェル形成材料の官能基と外相中の相補的鎖延長剤又は架橋剤の官能基との組は、アミン／イソシアネート、アミン／チオイソシアネート、アミン／酸塩化物、アミン／酸無水物、アミン／クロロギ酸エステル、アミン／エポキサイド、アルコール／イソシアネート、尿素／イソシアネート、アルコール／チオイソシアネート、チオール／イソシアネート、チオール／チオイソシアネート、尿素／チオイソシアネート、チオ尿素／イソシアネート、チオ尿素／チオイソシアネート、カルボジイミド／尿素、カルボジイミド／エポキサイド、アルコール／シロキサン及びイソシアネート／水から成る群から選択される上記３２．に記載の方法。
３４．
内相中の該ハロゲン化シェル形成材料は、フッ素化多官能価アミン、アルコール、エポキサイド又はイソシアネートである上記１６．に記載の方法。
３５．
該内相は、電荷制御剤を更に含んで成る上記１６．に記載の方法。
３６．
該内相は、コントラスト着色剤を更に含んで成る上記１６．に記載の方法。
３７．
該内相は、カプセル化工程の間又は後、除去し得る揮散性溶媒を更に含んで成る上記１６．に記載の方法。
３８
該内相は、添加剤を更に含んで成る上記１６．に記載の方法。
３９．
該添加剤は、ハロゲン化される上記３８．に記載の方法。
４０．
該添加剤は、フッ素化される上記３９．に記載の方法。
４１．
内相中の添加剤は、シェル形成反応用触媒、電荷助剤、電解質、酸化防止剤、ＵＶ安定剤、一重項酸素クエンチャー、ガス吸収剤、界面活性剤、保護コロイド又はポリマー分散剤又はレオロジー調整剤である上記３８．に記載の方法。
４２．
該外相は、保護コロイドを更に含んで成る上記１６．に記載の方法。
４３．
該外相は、添加剤を更に含んで成る上記１６．に記載の方法。
４４．
添加剤は、シェル形成反応用触媒、電荷助剤、電解質、酸化防止剤、ＵＶ安定剤、一重項酸素クエンチャー、ガス吸収剤、界面活性剤、保護コロイド又はポリマー分散剤又はレオロジー調整剤である上記４３．に記載の方法。
４５．
ａ）ハロゲン化ポリマーシェル及びその中に囲まれる電気泳動組成物を含んで成る非水性カプセルの配列であり、該電気泳動組成物は、誘電溶媒中に分散される帯電ピグメント粒子又はピグメント含有微粒子を含んで成り、
ｂ）非水性カプセルと結合するバインダー、及び
ｃ）カプセルとバインダーをコートする第一基材
を含んで成る電気泳動ディスプレー又はデバイス。
４６．
カプセル層上に保護オーバーコートを更に含んで成る上記４５．に記載の電気泳動ディスプレー又はデバイス。
４７．
カプセル層上に配置される第二基材を更に含んで成る上記４５．に記載の電気泳動ディスプレー又はデバイス。
４８．
二つの基材の少なくとも一つは、電極基材である上記４７．に記載の電気泳動ディスプレー又はデバイス。
４９．
二つの基材の少なくとも一つは、透明である上記４７．に記載の電気泳動ディスプレー又はデバイス。
５０．
基材の少なくとも一つは、カプセル層に面する電極層を含んで成る上記４７．に記載の電気泳動ディスプレー又はデバイス。
５１．
コーティング、印刷、蒸着、スパッタリング、ラミネート、又はそれらの組み合わせによって、基材又は電極層をカプセル層上に配置する上記５０．に記載の電気泳動ディスプレー又はデバイス。
５２．
該保護オーバーコートは、粒状充填剤を含んで成る上記４６．に記載の電気泳動ディスプレー又はデバイス。
５３
第一基材の非カプセルコート表面上にオーバーコートを更に含んで成る上記４５．に記載の電気泳動ディスプレー又はデバイス。
５４．
該オーバーコートは、粒子状充填剤を含んで成る上記５３．に記載の電気泳動ディスプレー又はデバイス。
５５．
第二基材の非カプセル接触表面上にオーバーコートを更に含んで成る上記４７．に記載の電気泳動ディスプレー又はデバイス。
５６．
該オーバーコートは、粒子状充填剤を含んで成る上記５５．に記載の電気泳動ディスプレー又はデバイス。
５７．
該誘電溶媒は、ハロゲン化溶媒又は溶媒混合物である上記４５．に記載の電気泳動ディスプレー又はデバイス。
５８．
該ハロゲン化溶媒は、２０重量％より高い合計のフッ素含有量を有するフッ素化溶媒である上記５７．に記載の電気泳動ディスプレー又はデバイス。
５９．
該ハロゲン化溶媒は、５０重量％より高い合計のフッ素含有量を有するフッ素化溶媒である上記５８．に記載の電気泳動ディスプレー又はデバイス。
６０．
該フッ素化溶媒は、パーフルオロポリエーテル又はハイドロフルオロポリエーテルである上記５８．に記載の電気泳動ディスプレー又はデバイス。
６１．
該フルオロポリエーテル又ハイドロフルオロポリエーテルは、Ｋ−及びＥ−シリーズ（デュポン社）及びＨＴ−又はＺＴ−シリーズ（ソルベーソレクシズ社）から成る群から選択される上記６０．に記載の電気泳動ディスプレー又はデバイス。
６２．
該ピグメントは、ＴｉＯ２である上記４５．に記載の電気泳動ディスプレー又はデバイス。
６３．
コントラスト着色剤を更に含んで成る上記４５．に記載のディスプレー又はデバイスの電気泳動組成物。
６４．
電荷制御剤を更に含んで成る上記４５．に記載のディスプレー又はデバイスの電気泳動組成物。